(57)【要約】【課題】スピーカの配置の手間を省いて、表示される３Ｄ映像の動きに連動して立体化した音場を発生し、より迫力がある３Ｄ音声を発生させることができるようにする。【解決手段】表示画面４ａで動き映像２３があり、その動きが所定値よりも大きいとき、その動きベクトルａが検出されて表示画面４ａに対する表示エリア２５にマッピングされ、その動き映像２３の位置が検出される。この表示画面４ａの各辺には、複数、例えば、２個ずつスピース１４が設けられており、これらの位置が表示エリア２５に対応付けられ、動き映像２３の動きとともに、音声を発生するスピーカ１４が切り換わる。例えば、図示するように動き映像２３が移動する場合、まず、左側スピーカ１４Ｌ1，１４Ｌ2が動作し、次に、左側スピーカ１４Ｌ1と右側スピーカ１４Ｒ1が動作し、次いで、右側スピーカ１４Ｒ1，１４Ｒ2が動作する。【選択図】図８
2011259298.tif 000002
【特許請求の範囲】
【請求項１】
３次元映像を表示可能な映像表示装置の音声出力装置であって、
該映像表示装置の表示画面の各辺に夫々、該辺に沿って複数個のスピーカが配置され、
該表示画面での動き映像の動きに応じて、該各辺での該スピーカの動作を制御し、該動き映像の動きに連動して音場を変化させる
ことを特徴とする３次元映像の音場形成装置。
【請求項２】
請求項１において、
前記表示画面は四角形状をなし、前記スピーカが配置される前記各辺は、前記表示画面の左辺，右辺及び下辺であることを特徴とする３次元映像の音場形成装置。
【請求項３】
請求項１において、
前記表示画面は四角形状をなし、前記スピーカが配置される前記辺は前記表示画面の全ての辺であることを特徴とする３次元映像の音場形成装置。
【請求項４】
請求項１において、
前記表示画面は菱形形状をなし、前記スピーカが配置される前記辺は前記表示画面の全ての辺であることを特徴とする３次元映像の音場形成装置。
【請求項５】
請求項１〜４のいずれか１つにおいて、
前記映像表示装置に入力される映像信号の前記動き映像の動きベクトルを検出する動きベクトル検出手段と、
該動きベクトルから前記動き映像の前記表示画面での動きを検出する制御手段と、
該制御手段によって制御され、検出された前記動き映像の動きに連動して音声信号を分配供給する前記スピーカを切り換えるとともに、前記スピーカに分配供給する音声信号を調整する分配処理手段と
を有し、動き映像の動きに連動して変化する音場を形成することを特徴とする３次元映像の音場形成装置。
【発明の詳細な説明】
【技術分野】
【０００１】
本発明は、３次元映像表示装置の音声出力装置に係り、特に、表示される３次元映像の動きに応じてスピーカの駆動形態を変化させて、３次元映像に対して効果的な立体化音声出力を実現可能とした３次元音声出力装置に関する。
【背景技術】
【０００２】
映像表示装置における音声信号は、モノラルの音声再現から始まってステレオの音声再現へと進み、近年では、視聴者（以下、ユーザという）の周辺、即ち、ユーザの前方左右にスピーカを配置するばかりでなく、ユーザの左右側や後方左右にサラウンドスピーカとしてスピーカを配置するサラウンド方式による音声の立体化まで発展している。また、音声出力装置を映像表示装置と一体化し、映像シーンで主張したい映像や音像を、ユーザの嗜好に合わせて、様々に変化させて楽しむことができるようにしたシステムも一般化している。
【０００３】
その一従来例として、２Ｄ（２次元）映像信号を３Ｄ（３次元）映像信号に変換して３Ｄ映像を表示し、これとともに、この映像信号の音声信号がモノラル信号である場合には、擬似ステレオ信号に変換して左側と右側とに設けられた２つのスピーカに供給し、また、この音声信号がステレオ信号である場合には、この音声信号を擬似立体化信号に変換してこれら２つのスピーカに供給するようにした技術が提案されている（例えば、特許文献１参照）。
【０００４】
この特許文献１には、モノラル信号を擬似ステレオ信号に変換する擬似ステレオ化手段やステレオ信号を擬似立体化信号に変換する擬似立体化手段が具体的に示されており、擬似ステレオ信号が左側のスピーカと右側のスピーカに供給されることにより、２つのスピーカ間の水平方向の音場の拡がり感と正面方向（聴取するユーザ方向）の飛び出し感とが得られるようにし、擬似立体化信号が左，右のスピーカに供給されることにより、水平方向の拡がり感と両サイド方向の飛び出し感と正面方向の飛び出し感とが得られるようにしている。
【０００５】
また、特許文献１に記載の技術では、入力音声信号がモノラル信号であるか、ステレオ信号であるかの判定も行なわれる。モノラル信号である場合には、同じ音声信号が左信号と右信号として入力され、ステレオ信号である場合には、その左信号と右信号とが入力されることから、モノラル信号である場合でも、ステレオ信号である場合でも、左信号と右信号との差分を検出し、その差分の積分値を閾値と比較することにより、モノラル信号であるか、ステレオ信号であるか判定される。この判定結果に応じて、入力音声信号がモノラル信号である場合には、擬似ステレオ化手段からの擬似ステレオ信号が左側のスピーカと右側のスピーカに供給され、入力音声信号がステレオ信号である場合には、擬似立体化手段からの擬似立体化信号が左側のスピーカと右側のスピーカに供給される。
【０００６】
また、他の従来例として、前面にその右側に配置されている右側スピーカＲと左スピーカＬとこれら間に設置されたセンタスピーカＣとの３個のフロントスピーカを用い、ハイビジョン放送での３−１方式４チャンネルステレオや２−２方式４チャンネルステレオの音声信号に対し、かかる３個のフロントスピーカを用いることにより、サラウンドスピーカなしにサラウンド効果が得られるようにした技術が提案されている（例えば、特許文献２参照）。
【０００７】
この特許文献２に記載の技術では、３−１方式４チャンネルステレオで音声出力する場合には、Ｌ（左）信号，Ｒ（右）信号及びＣ（センタ）信号の３チャンネルのフロント音声信号とＳ（サラウンド）信号の１チャンネルのリア音声信号とがハイビジョン信号から復号され、Ｌ信号とＳ信号とから左スピーカ用のＬ１信号が、Ｒ信号とＳ信号とから右スピーカ用のＲ１信号が夫々作成され、夫々左スピーカＬと右側スピーカＲとに供給される。また、Ｃ信号は、そのままＣ１信号として、センタスピーカＣに供給される。
【０００８】
また、２−２方式４チャンネルステレオで音声出力する場合には、ハイビジョン信号からＬ（左）信号とＲ（右）信号の２チャンネルのフロント音声信号とＳＬ（サラウンド左）信号とＳＲ（サラウンド右）信号の２チャンネルのリア音声信号とが復号され、ＳＬ信号とＳＲ信号とを加算してＳＬ＋ＳＲ信号を求め、Ｌ信号とＳＬ＋ＳＲ信号とから左スピーカ用のＬ２信号が、Ｒ信号とＳＬ＋ＳＲ信号とから右スピーカ用のＲ２信号が夫々作成され、夫々左スピーカＬと右側スピーカＲとに供給される。また、Ｃ信号は、そのままＣ２信号として、センタスピーカＣに供給される。
【先行技術文献】
【特許文献】
【０００９】
【特許文献１】特開平９−２０５２９５号公報
【特許文献２】特開平５−５６５００号公報
【発明の概要】
【発明が解決しようとする課題】
【００１０】
ところで、最近話題になっている３Ｄ映像表示装置は、相対的に左右の眼の視差だけずれた左右の眼用の画像を表示し、例えば、専用の眼鏡などを用いて、立体映像と認識させるというものがある。
【００１１】
しかしながら、３Ｄ映像表示装置で出力される従来のサラウンド方式の音声及び音像は、従来通りのステレオ音声あるいはサラウンド音声を選択できる設定が保有されているものの、３Ｄ映像表示の飛出し方向などには適合しておらず、映像中にある物体の画面の前面だけでなく、３Ｄ映像表示の部位が左右または上下方向の飛出しなどに対応した音像の制御というものがなされていないのが現状である。
【００１２】
また、従来のサラウンド方式の音声出力装置は、映像表示装置の外部に５．１チャンネル（フロント側に左右側スピーカ及びセンタスピーカとリア側に左右側のサラウンドスピーカの合計５個のスピーカを配置し、さらに、超低音専用のスピーカを１個配置したもの）、さらには、７．１チャンネル（５．１チャンネルで、さらに、ユーザの左右にサラウンドスピーカを配置したもの）などの音声スピーカを配置させて、サラウンドシステムを構築して視聴するようにした音声システムとする場合が多い。この場合、ある程度の部屋の広さや各音声スピーカ間の距離を持った視聴場所を確保することが必要であるし、多数のスピーカの配置の煩わしさや音声スピーカ間の一定距離の確保など音像形成における制約などについては、視聴者が考慮して対応する必要があった。これと同時に、この音場環境は、外部の音声専用のアンプなどの音像設定機能やイコライザー機能などを使って音像設定を行なう必要が場合もあり、特に、３Ｄ映像や２Ｄ映像と３Ｄ映像との切換えなどにおいては、映像シーンに応じて音像設定を切り換える必要もあり、ある程度の臨場感を得るには、部屋の広さや音声スピーカ間の距離を持った音場が必要であるが、一方では、かかる所定の設定を変えず、一旦調整した音場を保持したままの視聴となっている場合もあった。
【００１３】
さらには、デジタルサーネージ（Digital Signage：電子看板）と称する宣伝用コンテンツの映像表示などでは、映像表示装置の設置手段あるいは配置方向を変えた場合には、音声効果を効果的な設定とするために、ユーザが音声スピーカの配置や構造などの設置を映像表示用のコンテンツに合せて設定し、音声スピーカの向きや映像表示装置の縦横設置などで切り換える必要がある場合も多かった。
【００１４】
かかるスピーカ設置状態によると、映像表示装置に合せて音声スピーカの位置を設置するので、音響効果の点では優れたシステムであるが、多数の音声スピーカを使用するため、配置変更や接続変更あるいは音声スピーカ自体のレイアウトなど含めて多くの手間を必要とし、システム自体も音声スピーカが複数個揃える必要があるなど高価格なシステムとなってしまう。
【００１５】
これに対し、上記の特許文献１に記載の技術では、３Ｄ映像の表示装置に左右２つのスピーカを用いて音声出力を行なうものであるから、また、上記の特許文献２に記載の技術では、ハイビジョン放送に対し、左右２つのスピーカとこれら間に配置されるセンタスピーカとの３個のスピーカを用いて音声出力を行なうものであるから、必要とするスピーカの個数を大幅に低減でき、これにより、スピーカの配置の手間を省くことができるとともに、システムの低価格化を実現できる。
【００１６】
ところで、上記の特許文献１に記載の技術では、３Ｄ映像表示で入力音声信号がステレオ音声信号である場合、このステレオ音声信号から擬似立体化信号を生成し、かかる擬似立体化信号で音声を再生することにより、再生音声に水平方向の拡がり感と両サイド方向の飛び出し感，正面方向の飛び出し感とが得られるようにし、３Ｄ映像表示で立体的な音場が得られるようにしているが、かかる音響効果は得られた擬似立体化信号の左音声信号を左スピーカに、右音声信号を右スピーカに夫々供給することによって得られるようにしている。
【００１７】
しかしながら、このように、擬似立体化信号を生成しても、２つの左右スピーカで音声再生をしているので、３Ｄ映像表示で画面を横切る方向に移動する映像や正面に飛び出すように移動する映像に対し、これに連動して効果的に移動する音場を生じさせることができない。例えば、画面を車両の映像が横切るように、かつこれを視聴するユーザ側に近づくように移動するような場合、この画面の一方側から他方側に、ユーザに近づいてくるように、音場が発生されることにより、３Ｄ映像表示の立体感がより増すことになるが、左右の２つのスピーカを使用しただけでは、かかる音場効果を得ることはできない。
【００１８】
また、上記の特許文献２に記載の技術は、正面に左右スピーカとセンタスピーカとの３個のスピーカを用いるものであるが、フロント，リア及びセンタの４チャンネルのサラウンド方式の音声信号を入力し、フロント及びリアの音声信号から右，左信号を生成し、これらを右スピーカ，左スピーカに供給し、センタ信号をセンタスピーカに供給してサラウンド効果を得るようにしたものであって、上記のように画面上を移動する映像の動きに連動した音場が生ずるものではない。
【００１９】
本発明の目的は、かかる問題を解消し、スピーカの配置の手間を省いて、表示される３Ｄ映像の動きに連動して立体化した音場を発生し、より迫力がある３Ｄ音声を発生させることができるようにした３次元音声出力装置を提供することにある。
【課題を解決するための手段】
【００２０】
上記目的を達成するために、本発明は、３次元映像を表示可能な映像表示装置の音声出力装置であって、映像表示装置の表示画面の各辺に夫々、辺に沿って複数個のスピーカが配置され、表示画面での動き映像の動きに応じて、各辺でのスピーカの動作を制御し、動き映像の動きに連動して音場を変化させることを特徴とするものである。
【００２１】
また、本発明は、表示画面は四角形状をなし、スピーカが配置される各辺は、表示画面の左辺，右辺及び下辺であることを特徴とするものである。
【００２２】
または、本発明は、表示画面は四角形状をなし、スピーカが配置される辺は表示画面の全ての辺であることを特徴とするものである。
【００２３】
あるいは、本発明は、表示画面は菱形形状をなし、スピーカが配置される辺は表示画面の全ての辺であることを特徴とするものである。
【００２４】
そして、本発明は、映像表示装置に入力される映像信号の動き映像の動きベクトルを検出する動きベクトル検出手段と、動きベクトルから動き映像の表示画面での動きを検出する制御手段と、制御手段によって制御され、検出された動き映像の動きに連動して音声信号を分配供給するスピーカを切り換えるとともに、スピーカに分配供給する音声信号を調整する分配処理手段とを有し、動き映像の動きに連動して変化する音場を形成することを特徴とするものである。
【発明の効果】
【００２５】
本発明によると、映像表示装置の表示画面の各辺に複数個ずつスピーカを設け、この表示画面に表示される動き映像の動きに応じて動作するスピーカを切り換えていくものであるから、この動き映像の動きに連動して音源が移動するような音波が形成されることになり、迫力のある３次元の音場（音響空間）が得られることになる。
【００２６】
しかも、各スピーカは映像表示装置の表示画面の周囲に配置されるものであるから、その位置は表示画面に対して固定されており、スピーカの個数が多いにもかかわらず、ユーザにとっては、スピーカの配置については考慮する必要がなく、そのための手間が省けることになる。
【図面の簡単な説明】
【００２７】
【図１】本発明による音声出力装置の第１の実施形態を用いた映像表示装置を示すブロック構成図である。
【図２】図１における音声切換回路の一具体例を示すブロック構成図である。
【図３】図１における擬似ステレオ音声生成回路の一具体例を示すブロック構成図である。
【図４】図１における３Ｄ音声生成回路の一具体例を示すブロック構成図である。
【図５】図１における映像表示装置でのスピーカ１４1〜１４Nの配置の一具体例を示す斜視図である。
【図６】図１での映像表示部４の前面から見た左スピーカ１４Ｌ1〜１４Ｌ4，右側スピーカ１４Ｒ1〜１４Ｒ4の配置関係を示す正面図である。
【図７】図１における分配処理回路１３の一具体例を示す回路図である。
【図８】図１，図５での動きベクトルａとスピーカ１４の駆動との関連性の一具体例を示す図である。
【図９】図６に示す映像表示装置とは異なる種類の映像表示装置でのスピーカの配置の具体例を示す正面図である。
【図１０】スピーカ１４Ｌ1〜１４Ｌ4，１４Ｒ1〜１４Ｒ4のボリウム調整（出力レベル設定）のためにオンスクリーン表示されるメニュー画面の一具体例を示す図である。
【図１１】スピーカ１４Ｌ1〜１４Ｌ4，１４Ｒ1〜１４Ｒ4に対するイコライザ２１Ｌ1〜２１Ｌ4，２４Ｒ1〜２１Ｒ4の特性調整のためにオンスクリーン表示されるメニュー画面の一具体例を示す図である。
【図１２】スピーカ１４Ｌ1〜１４Ｌ4，１４Ｒ1〜１４Ｒ4のスピーカ機能設定のためにオンスクリーン表示されるメニュー画面の一具体例を示す図である。
【発明を実施するための形態】
【００２８】
以下、本発明の実施形態を図面を用いて説明する。
【００２９】
図１は本発明による音声出力装置の第１の実施形態を用いた映像表示装置を示すブロック構成図であって、１は映像信号処理ブロック、２は映像処理部、３は動きベクトル検出回路、４は映像表示部、５はこの第１の実施形態の音声再生装置、６はＣＰＵ(Central Processing Unit：中央処理ユニット）、７は音声切換回路、８はモノラル音声回路、９はステレオ音声回路、１０は擬似ステレオ音声生成回路、１１は３Ｄ（立体化）音声生成回路、１２はセレクタスイッチ、１２ａ，１２ｂは切換スイッチ、１３は分配処理回路、１４1〜１４Nはスピーカである。
【００３０】
同図において、映像信号処理ブロック１と映像表示部４とは、映像表示装置の映像部を構成するものであって、受信や記録再生装置からの再生などによって入力された入力映像信号Ｖが映像信号処理ブロック１で信号処理され、映像表示部４に供給されることにより、映像表示部４に２Ｄ映像や３Ｄ映像が表示される。この第１の実施形態の音声出力装置５は、かかる映像表示装置に設けられている。ここで、入力映像信号Ｖは、２Ｄ映像信号でもあるし、３Ｄ映像信号もあり、２Ｄ映像信号であるときには、映像表示部４で２Ｄ映像が表示され、３Ｄ映像信号であるときには、映像表示部４で３Ｄ映像が表示される。
【００３１】
受信や記録再生装置からの再生などによって入力された入力映像信号Ｖには、音声信号が付加されており、これが入力音声信号Ａとしてこの第１の実施形態の音声出力装置５に入力される。ここで、入力音声信号Ａは２チャンネルの音声信号からなるものであって、モノラル音声信号である場合には、これら音声信号は同じ音声信号である。この入力されたモノラル音声信号Ａを、以下では、モノラル音声信号Ｍ（Ｌ＋Ｒ）ということにする。入力音声信号Ａがステレオ音声信号である場合には、一方のチャンネルの音声信号が左音声信号ＳＬであり、他方のチャンネルの音声信号が右音声信号ＳＲである。以下では、この入力されたステレオ音声信号Ａをステレオ音声信号（ＳＬ＋ＳＲ）ということにする。なお、モノラル音声信号Ｍ（Ｌ＋Ｒ）とステレオ音声信号（ＳＬ＋ＳＲ）とを総称する場合には、入力音声信号Ａという。
【００３２】
入力音声信号Ａは、音声切換回路７とモノラル音声回路８とステレオ音声回路９とに供給される。
【００３３】
音声切換回路７では、入力音声信号Ａとしての２チャンネルの音声信号のレベル差を検出し、このレベル差を所定期間ずつ積分し、その積分値を規定の閾値と比較して、入力音声信号Ａがモノラル音声信号Ｍ（Ｌ＋Ｒ）であるか、ステレオ音声信号（ＳＬ＋ＳＲ）であるを判定するものであって、その一具体例を図２に示す。
【００３４】
同図において、入力音声信号Ａは、その２チャンネルの音声信号が減算回路７ａに供給され、この減算回路７ａでこの入力音声信号Ａの一方のチャンネルの音声信号から他方のチュンネルの音声信号が減算されてこれらのレベル差が検出される。このレベル差と積分回路７ｂに供給され、予め決められた一定の積分期間ずつ積分され、この積分期間が経過する毎にそのレベル差の積分値が比較器７ｃに供給されて予め設定された基準値７ｄと比較される。その比較結果ｂが制御手段としてのＣＰＵ６（図１）に供給される。
【００３５】
そこで、入力音声信号Ａがモノラル音声信号Ｍ（Ｌ＋Ｒ）である場合には、その一方のチャンネルの音声信号ＭＬと他方のチャンネルの音声信号ＭＲとは同じ音声信号であるから、これら２チャンネルの音声信号ＭＬ，ＭＲのレベル差はほとんど零であり、それを所定期間積分した積分値もほとんど零である。従って、その積分値は上記の基準値７ｄ未満であって、基準値７ｄ未満であることを示す比較結果ｂ（例えば、“０”のデータ）がＣＰＵ６に供給されることにより、ＣＰＵ６はこのときの入力音声信号Ａがモノラル音声信号Ｍ（Ｌ＋Ｒ）であると判定する。また、入力音声信号Ａがステレオ音声信号（ＳＬ＋ＳＲ）である場合には、その一方のチャンネルの音声信号ＳＬと他方のチャンネルの音声信号ＳＲとは異なる音声信号であるから、これら音声信号ＳＬ，ＳＲのレベル差は零とはならず、それを所定期間積分した積分値も零とはならない。従って、その積分値は上記の基準値７ｄ以上であって、基準値７ｄ以上であることを示す比較結果ｂ（例えば、“１”のデータ）がＣＰＵ６に供給されることにより、ＣＰＵ６はこのときの入力音声信号Ａがステレオ音声信号（ＳＬ＋ＳＲ）であると判定する。
【００３６】
図１に戻って、ＣＰＵ６は、この判定結果に基づいて、セレクタスイッチ１２を制御するものであって、入力音声信号Ａがモノラル音声信号Ｍ（Ｌ＋Ｒ）であるときには、このセレクタスイッチ１２の切換スイッチ１２ａを可動状態にして、スイッチ１２ｂを非可動状態にする。また、入力音声信号Ａがステレオ音声信号（ＳＬ＋ＳＲ）であるときには、セレクタスイッチ１２の切換スイッチ１２ｂを可動状態にして、切換スイッチ１２ａを非可動状態にする。
【００３７】
映像信号処理ブロック１では、映像処理部２で入力映像信号Ｖが処理される過程で、動きベクトル検出回路３により、動きベクトルａが検出され、ＣＰＵ６に供給される。ＣＰＵ６は、この動きベクトルａに応じて、分配処理回路１３での各スピーカ１４1〜１４N毎のアンプやスイッチ（図示せず）を制御する。
【００３８】
ここで、動きベクトル検出回路３は、入力映像信号Ｖの各フレーム毎にその１つ前のフレームとのマッチングを取って、予め決められた一定の検索範囲内で画面を横切る方向の動きのある、例えば、移動車両などの部分的な映像や画面の奥方から手前への方向のあるいはその逆方向の動きのある部分的な映像を検出し、２つのフレーム間のマッチングによってこの検出された動きのある映像の動き量（画素数で表わされる）と動き方向とを検出してかかる動き量と動き方向とからなる動きベクトルａを生成する。この動きベクトルａの検出は、１秒当りのフレーム数を変換するフレームレート変換や、飛び越し走査，順次走査間の変換であるインターレース・プログレッシブ変換、映像圧縮処理などに用いられる。動きベクトルは、上記の探索範囲内に設定された各々の動きベクトルの候補ベクトルについて計算した一致度から決定される。この一致度としては、一般に、差分絶対値和(Summed Absolute Difference:ＳＡＤ)が用いられる。
【００３９】
この動きベクトル検出は、映像信号を動きベクトル検出回路３に供給し、２つのフレーム間での映像の動きの方向を検出し、同時に動き方向を識別する画面内の映像の動き方向のマップ化を行ない、この検出情報を映像信号の動き方向を表わす動きベクトルａとして複数ビットで出力させることができる。なお、動きベクトル検出回路３からＣＰＵ６への動きベクトルａの通信手段としては、パラレルもしくはシリアルのＩ２Ｃ（InterーIntegrated Circuit）などの通信手段であってもよい。
【００４０】
入力映像信号Ｖを処理する映像信号処理ブロック１は、例えば、３次元映像を出力する場合には、左眼用の映像と右眼用の映像、つまり元の映像信号に対して時間軸上で一方の映像とこれよりも数フィールド遅れた（あるいは進んだ）他方の映像で構成しており、かつこれら映像は互いに水平方向に位相がずれたものである。このフィールド遅延（あるいは進み）量や位相ずれ量は、音声の擬似ステレオ化あるいは擬似立体化のための位相ずれ制御量を決める情報となる。これら情報をもとに動きベクトル検出回路３によって映像の位相ずれ量を反映させた動き方向をマッピングし、前記の情報と合せて映像の動き方向や動き量を表わす動きベクトルａを検出するものである。
【００４１】
一方、入力音声信号Ａとしてのモノラル音声信号Ｍ（Ｌ＋Ｒ）は、モノラル音声回路８で増幅などの処理がなされた後、セレクタスイッチ１２でのスイッチ１２ａの一方の端子ａ1に供給されるとともに、擬似ステレオ音声生成回路１０に供給される。擬似ステレオ音声生成回路１０では、供給されたモノラル音声信号Ｍ（Ｌ＋Ｒ）から擬似ステレオ音声信号（ＳＬM＋ＳＲM）が生成され、セレクタスイッチ１２でのスイッチ１２ａの他方の端子ａ2に供給される。
【００４２】
この擬似ステレオ音声生成回路１０は、左右の拡がり感や正面への飛び出し感がある音場が得られる擬似ステレオ音声信号（ＳＬM＋ＳＲM）を生成されるものであり、図３にその一具体例を示す。
【００４３】
図３において、モノラル音声信号Ｍ（Ｌ＋Ｒ）は、その２つのチャンネルの音声信号ＭＬ＋ＭＲの一方が、または、これらが加算されて入力され（かかる信号を、以下、モノラル音声信号Ｍという）、ＬＰＦ１０とＢＰＦ１０ｂとＨＰＦ１０ｃとにより、低域，中域，高域の３つの帯域に分割され、これら低域の音声信号ＭL，中域の音声信号ＭB，高域の音声信号ＭHが夫々音の拡がり感を調整するための遅延回路１０ｄ1，１０ｄ2，１０ｄ3で遅延される。
【００４４】
この遅延回路１０ｄ1からの低域の音声信号ＭLは、音の正面方向の飛び出し感を調整するための乗算器１０ｅ1で乗算処理された後、加算器１０ｇ1でＬＰＦ１０ａからの低域の音声信号ＭLと加算され、また、遅延回路１０ｄ1からの低域の音声信号ＭLは、音の正面方向の飛び出し感を調整するための乗算器１０ｆ1で乗算処理された後、減算器１０ｈ1でＬＰＦ１０ａからの低域の音声信号ＭLを減算する。
【００４５】
同様にして、遅延回路１０ｄ2からの中域の音声信号ＭBは、音の正面方向の飛び出し感を調整するための乗算器１０ｅ2で乗算処理された後、加算器１０ｇ2でＢＰＦ１０ｂからの中域の音声信号ＭBと加算され、また、遅延回路１０ｄ2からの中域の音声信号ＭBは、音の正面方向の飛び出し感を調整するための乗算器１０ｆ2で乗算処理された後、減算器１０ｈ2でＢＰＦ１０ｂからの中域の音声信号ＭBを減算する。
【００４６】
さらに、遅延回路１０ｄ3からの高域の音声信号ＭHは、音の正面方向の飛び出し感を調整するための乗算器１０ｅ3で乗算処理された後、加算器１０ｇ3でＨＰＦ１０ｃからの高域の音声信号ＭHと加算され、また、遅延回路１０ｄ3からの高域の音声信号ＭHは、音の正面方向の飛び出し感を調整するための乗算器１０ｆ3で乗算処理された後、減算器１０ｈ3でＢＰＦ１０ｃからの高域の音声信号ＭHを減算する。
【００４７】
そして、さらに、加算器１０ｇ1，１０ｇ2，１０ｇ3からの音声信号は加算器１０ｉ1で加算され、これにより、擬似ステレオ音声信号（ＳＬM＋ＳＲM）の左音声信号ＳＬMが生成され、また、加算器１０ｈ1，１０ｈ2，１０ｈ3からの音声信号は加算器１０ｉ2で加算され、これにより、擬似ステレオ音声信号（ＳＬM＋ＳＲM）の右音声信号ＳＲMが生成される。
【００４８】
このように、擬似ステレオ音声信号（ＳＬM＋ＳＲM）が生成されて、図１におけるセレクタスイッチ１２でのスイッチ１２ａの端子ａ2に供給される。
【００４９】
図１に戻って、入力音声信号Ａとしてのステレオ音声信号（ＳＬ＋ＳＲ）は、ステレオ音声回路９で増幅などの処理がなされた後、セレクタスイッチ１２でのスイッチ１２ｂの一方の端子ｂ1に供給されるとともに、３Ｄ音声生成回路１１に供給される。３Ｄ音声生成回路１１では、供給されたステレオ音声信号（ＳＬ＋ＳＲ）から３Ｄ（立体化）音声信号（ＳＬ3D＋ＳＲ3D）が生成され、セレクタスイッチ１２でのスイッチ１２ｂの他方の端子ｂ2に供給される。
【００５０】
この３Ｄ音声生成回路１１は、左右の拡がり感や正面への飛び出し感がある音場が得られる３Ｄ音声信号（ＳＬ3D＋ＳＲ3D）を生成されるものであり、図４にその一具体例を示す。
【００５１】
図４において、入力されるステレオ音声信号（ＳＬ＋ＳＲ）の左音声信号ＳＬは、加算器１１ｆ1，１１ｂに供給されるとともに、ＢＰＦ１１ａ1に供給されて所定の帯域が抽出され、水平方向の拡がり感と両サイド方向の飛び出し感とを調整するための乗算器１１ｄ1に供給される。この乗算器１１ｄ1の出力信号は加算器１１ｆ1に供給され、入力される左音声信号ＳＬに加算される。同様にして、入力されるステレオ音声信号（ＳＬ＋ＳＲ）の右音声信号ＳＲは、加算器１１ｆ2，１１ｂに供給されるとともに、ＢＰＦ１１ａ2に供給されて所定の帯域が抽出され、水平方向の拡がり感と両サイド方向の飛び出し感とを調整するための乗算器１１ｄ2に供給される。この乗算器１１ｄ2の出力信号は加算器１１ｆ2に供給され、入力される右音声信号ＳＲに加算される。
【００５２】
加算器１１ｂでは、入力されたステレオ音声信号（ＳＬ＋ＳＲ）の左音声信号ＳＬと右音声信号ＳＲとが加算され、この加算信号はＢＰＦ１１ｃに供給されて所定の帯域が抽出され、書面方向の飛び出し感を調整するための乗算器１１ｅに供給される。この乗算器１１ｅの出力信号は、加減算器１１ｇ1に供給されて加算器１１ｆ1からの音声信号と加算され、さらに、乗算器１１ｄ2の出力信号が減算されて３Ｄ音声信号（ＳＬ3D＋ＳＲ3D）の左音声信号ＳＬ3Dが生成される。また、この乗算器１１ｅの出力信号は、加減算器１１ｇ2に供給されて加算器１１ｆ2からの音声信号と加算され、さらに、乗算器１１ｄ1の出力信号が減算されて３Ｄ音声信号（ＳＬ3D＋ＳＲ3D）の右音声信号ＳＲ3Dが生成される。
【００５３】
図１に戻って、セレクタスイッチ１２でのスイッチ１２ａ，１２ｂの切換制御は、図示しないリモコンの操作によるＣＰＵ６の制御によって行なわれる。入力音声信号Ａがモノラル音声信号Ｍ（Ｌ＋Ｒ）であるときには、ＣＰＵ６の制御により、スイッチ１２ａが可動状態にあるから、ユーザのリモコン操作により、スイッチ１２ａがモノラル音声回路８からのモノラル音声信号Ｍ（Ｌ＋Ｒ）と擬似ステレオ音声生成回路１０からの擬似ステレオ音声信号（ＳＬM＋ＳＲM）とのいずれか一方を選択し、分配処理回路１３に供給する。また、入力音声信号Ａがステレオ音声信号（ＳＬ＋ＳＲ）であるときには、ＣＰＵ６の制御により、スイッチ１２ｂが可動状態にあるから、ユーザのリモコン操作により、スイッチ１２ｂがステレオ音声回路９からのステレオ音声信号（ＳＬ＋ＳＲ）と３Ｄ音声生成回路１１からの３Ｄ音声信号（ＳＬ3D＋ＳＲ3D）とのいずれか一方を選択し、分配処理回路１３に供給する。
【００５４】
分配処理回路１３では、セレクタスイッチ１２で選択されたモノラル音声信号Ｍ（Ｌ＋Ｒ）の一方の音声信号ＭＬや擬似ステレオ音声信号（ＳＬM＋ＳＲM）の左音声信号ＳＬM、ステレオ音声信号（ＳＬ＋ＳＲ）の左音声信号ＳＬ、３Ｄ音声信号（ＳＬ3D＋ＳＲ3D）の左音声信号ＳＬ3Dが、ＣＰＵ６からの動きベクトルａや比較結果ｂに応じた制御信号ｃをもとに処理された後、スピーカ１４1〜１４Nのうちの左側スピーカに供給され、また、セレクタスイッチ１２で選択されたモノラル音声信号Ｍ（Ｌ＋Ｒ）の他方の音声信号ＭＲや擬似ステレオ音声信号（ＳＬM＋ＳＲM）の右音声信号ＳＲM、ステレオ音声信号（ＳＬ＋ＳＲ）の右音声信号ＳＲ、３Ｄ音声信号（ＳＬ3D＋ＳＲ3D）の右音声信号ＳＲ3Dが、ＣＰＵ６からの動きベクトルａや比較結果ｂに応じて処理された後、スピーカ１４1〜１４Nのうちの右側スピーカに供給される。
【００５５】
図５は図１における映像表示装置でのスピーカ１４1〜１４Nの配置の一具体例を示す斜視図であって、１４Ｌ1〜１４Ｌ4は左側スピーカ、１４Ｒ1〜１４Ｒ4は右側スピーカ、１５はＬＥＤ（発光ダイオード）駆動回路、１６は発光ダイオード、１７は導光板、１８は反射板、１９は拡散板であり、図１に対応する部分には同一符号をつけて重複する説明を省略する。
【００５６】
同図において、この映像表示装置は、一例として、液晶表示装置としており、ここでは、映像表示部４のバックライトの部分のみを示している。このバックライトは、複数の発光ダイオード１６がアレイ状に配置されている。この発光ダイオード１６は、ＲＧＢの３色の発光ダイオードアレイを組み合わせて実質的に白色とすることも可能である。発光ダイオード１６はＬＥＤ駆動回路１５によって発光駆動され、夫々の発光ダイオード１６から発光された光は導光板１７の内部に照射される。なお、ここでは、導光板１７の上側に拡散板１９が設置され、下側に反射板１８が設置されている。即ち、図５は画像の表示部を上向きにして図示している。この場合、発光ダイオード１６のアレイで発光された光は、導光板１７に入射されてその内部をその面方向に伝搬し、その後、反射板１８と導光板１７との境界面で反射されて拡散板１９の内部に照射され、面方向に均一な光となり、この拡散板１９の上側に設けられた液晶パネル（図示せず）に照射光として出射される。
【００５７】
かかる映像表示部４の下辺に沿って、その左側に左側スピーカ１４Ｌ1が、その右側に右側スピーカ１４Ｒ1が夫々設けられ、映像表示部４の左辺に沿ってその下側に左側スピーカ１４Ｌ2が、上側に左側スピーカ１４Ｌ3が夫々設けられている。また、映像表示部４の右辺に沿ってその下側に右側スピーカ１４Ｒ2が、その上側に右側スピーカ１４Ｒ3が夫々設けられており、映像表示部４の上辺に沿って、その左側に左側スピーカ１４Ｌ4が、その右側に右側スピーカ１４Ｒ4が夫々設けられている。この具体例では、このように、４個の左側スピーカ１４Ｌ1〜１４Ｌ4と４個の右側スピーカ１４Ｒ1〜１４Ｒ4との８個のスピーカ１４が設けられているものであって（従って、図１では、Ｎ＝８）、左側スピーカ１４Ｌ1〜１４Ｌ4に図１でのセレクタスイッチ１２で選択されたモノラル音声信号Ｍ（Ｌ＋Ｒ）の一方の音声信号ＭＬ，擬似ステレオ音声信号（ＳＬM＋ＳＲM）の左音声信号ＳＬM，ステレオ音声信号（ＳＬ＋ＳＲ）の左音声信号ＳＬあるいは３Ｄ音声信号（ＳＬ3D＋ＳＲ3D）の左音声信号ＳＬ3Dが供給されて、左スピーカとして機能し、右側スピーカ１４Ｒ1〜１４Ｒ4に図１でのセレクタスイッチ１２で選択されたモノラル音声信号Ｍ（Ｌ＋Ｒ）の他方の音声信号ＭＲ，擬似ステレオ音声信号（ＳＬM＋ＳＲM）の右音声信号ＳＲM，ステレオ音声信号（ＳＬ＋ＳＲ）の右音声信号ＳＲあるいは３Ｄ音声信号（ＳＬ3D＋ＳＲ3D）の右音声信号ＳＲ3Dが供給されて、右スピーカとして機能する。
【００５８】
なお、ここでは、映像表示部４の中心から左側に配置されているスピーカ１４を左側スピーカといい、同じく右側に配置されているスピーカ１４を右側スピーカという。また、上記の左音声信号が供給されて左音声を出力するように機能するスピーカ１４を左スピーカといい、同じく上記の右音声信号が供給されて右音声を出力するように機能するスピーカ１４を右スピーカという。
【００５９】
図６は図１の映像表示部４の前面から見た左側スピーカ１４Ｌ1〜１４Ｌ4，右側スピーカ１４Ｒ1〜１４Ｒ4の配置関係を示す正面図であって、４ａは表示画面であり、図５に対応する部分には同一符号をつけて重複する説明を省略する。
【００６０】
同図において、映像表示部４の横長の表示画面４ａの周辺には、その下辺に沿って、その左側に左側スピーカ１４Ｌ1が、その右側に右側スピーカ１４Ｒ1が夫々配置され、その左辺に沿ってその下側に左側スピーカ１４Ｌ2が、上側に左側スピーカ１４Ｌ3が夫々配置され、その右辺に沿ってその下側に右側スピーカ１４Ｒ2が、その上側に右側スピーカ１４Ｒ3が夫々配置され、その上辺に沿ってその左側に左側スピーカ１４Ｌ4が、その右側に右側スピーカ１４Ｒ4が夫々配置されている。
【００６１】
このように、各スピーカ１４Ｌ1〜１４Ｌ4，１４Ｒ1〜１４Ｒ4は、映像表示装置に一体に設けられ、映像表示部４の表示画面４ａに対してその配置が固定されている。
【００６２】
図７は図１における分配処理回路１３の一具体例を示す回路図であって、２０Ｌ1〜２０Ｌ4，２０Ｒ1〜２０Ｒ4は開閉スイッチ、２１Ｌ1〜２０Ｌ4，２１Ｒ1〜２１Ｒ4はイコライザ、２２Ｌ1〜２２Ｌ4，２２Ｒ1〜２２Ｒ4は可変利得増幅器であり、図１，図５に対応する部分には同一符号をつけて重複する説明を省略する。
【００６３】
同図において、分配処理回路１３では、左側スピーカ１４Ｌ1，１４Ｌ2，１４Ｌ3，１４Ｌ4に夫々、開閉スイッチ２０Ｌ1，２０Ｌ2，２０Ｌ3，２０Ｌ4とイコライザ２１Ｌ1，２１Ｌ2，２０Ｌ3，２０Ｌ4と可変利得増幅器２２Ｌ1，２２Ｌ2，２２Ｌ3，２２Ｌ4とが設けられており、また、右側スピーカ１４Ｒ1，１４Ｒ2，１４Ｒ3，１４Ｒ4に夫々、開閉スイッチ２０Ｒ1，２０Ｒ2，２０Ｒ3，２０Ｒ4とイコライザ２１Ｒ1，２１Ｒ2，２０Ｒ3，２０Ｒ4と可変利得増幅器２２Ｒ1，２２Ｒ2，２２Ｒ3，２２Ｒ4とが設けられている。
【００６４】
セレクタスイッチ１２（図１）で選択されたモノラル音声信号Ｍ（Ｌ＋Ｒ）の一方の音声信号ＭＬ，擬似ステレオ音声信号（ＳＬM＋ＳＲM）の左音声信号ＳＬM，ステレオ音声信号（ＳＬ＋ＳＲ）の左音声信号ＳＬあるいは３Ｄ音声信号（ＳＬ3D＋ＳＲ3D）の左音声信号ＳＬ3D（以下、これらを総称して、選択された左音声信号Ｌという）は、開閉スイッチ２０Ｌ1，２０Ｌ2，２０Ｌ3，２０Ｌ4に分配され、夫々イコライザ２１Ｌ1，２１Ｌ2，２０Ｌ3，２０Ｌ4で帯域の調整がなされた後、可変利得増幅器２２Ｌ1，２２Ｌ2，２２Ｌ3，２２Ｌ4で信号レベルが調整されて左側スピーカ１４Ｌ1，１４Ｌ2，１４Ｌ3，１４Ｌ4に供給される。従って、これら左側スピーカ１４Ｌ1，１４Ｌ2，１４Ｌ3，１４Ｌ4は左音声を出力する左スピーカとして機能する。また、セレクタスイッチ１２（図１）で選択されたモノラル音声信号Ｍ（Ｌ＋Ｒ）の他方の音声信号ＭＲ，擬似ステレオ音声信号（ＳＬM＋ＳＲM）の右音声信号ＳＲM，ステレオ音声信号（ＳＬ＋ＳＲ）の右音声信号ＳＲあるいは３Ｄ音声信号（ＳＬ3D＋ＳＲ3D）の右音声信号ＳＲ3D（以下、これらを総称して、セレクタスイッチ１２で選択された右音声信号Ｒという）は、開閉スイッチ２０Ｒ1，２０Ｒ2，２０Ｒ3，２０Ｒ4に分配され、夫々イコライザ２１Ｒ1，２１Ｒ2，２０Ｒ3，２０Ｒ4で帯域の調整がなされた後、可変利得増幅器２２Ｒ1，２２Ｒ2，２２Ｒ3，２２Ｒ4で信号レベルが調整されて右側スピーカ１４Ｒ1，１４Ｒ2，１４Ｒ3，１４Ｒ4に供給される。従って、これら右側スピーカ１４Ｒ1，１４Ｒ2，１４Ｒ3，１４Ｒ4は右音声を出力する右スピーカとして機能する。
【００６５】
ここで、開閉スイッチ２０Ｌ1〜２０Ｌ4，２０Ｒ1〜２０Ｒ4は、ＣＰＵ６からの比較結果ｂや動きベクトルａに応じた制御信号ｃ1によって開閉制御される。
【００６６】
即ち、セレクタスイッチ１２で選択された左音声信号Ｌや右音声信号Ｒがモノラル音声信号Ｍ（Ｌ＋Ｒ）の音声信号ＭＬ，ＭＲである場合には、例えば、開閉スイッチ２０Ｌ2，２０Ｌ3，２０Ｒ2，２０Ｒ3がオンして開閉スイッチＬ1，Ｌ4，Ｒ1，Ｒ4がオフし、左音声信号Ｌが左側スピーカ１４Ｌ2，１４Ｌ3に、右音声信号Ｒが右側スピーカ１４Ｒ2，１４Ｒ3に夫々供給される。しかし、これに限るものではなく、例えば、全ての開閉スイッチ２０Ｌ1〜２０Ｌ4，２０Ｒ1〜２０Ｒ4をオンし、全ての左側スピーカ１４Ｌ1〜１４Ｌ4に左音声信号Ｌを供給し、全ての右側スピーカ１４Ｒ1〜１４Ｒ4に右音声信号Ｒを供給するようにしてもよい。
【００６７】
また、セレクタスイッチ１２で選択された左音声信号Ｌや右音声信号Ｒが擬似ステレオ音声信号（ＳＬM＋ＳＲM）の音声信号ＳＬM，ＳＲM、あるいは、ステレオ音声信号（ＳＬ＋ＳＭ）の音声信号ＳＬ，ＳＲである場合には、映像表示部４（図１）で表示される２Ｄ画面での映像の動き量が所定値よりも大きい場合、この映像の動きに応じて開閉スイッチ２０Ｌ1〜２０Ｌ4，２０Ｒ1〜２０Ｒ4が順次開閉制御され、これに応じて左側スピーカ１４Ｌ1〜１４Ｌ4と右側スピーカ１４Ｒ1〜１４Ｒ4とでの音声信号の供給タイミングが所定にずらされる。即ち、映像の動きに合わせてこの映像の動き方向に音声を発生するスピーカが切り替わっていく。また、このとき、可変利得増幅器２２Ｌ1〜２２Ｌ4，２２Ｒ1〜２２Ｒ4でも、ＣＰＵ６からの制御信号Ｃ2により、順次利得が制御され、映像の動きに合わせてこの映像の動き方向に音量が変化される。これにより、擬似ステレオ音声信号（ＳＬM＋ＳＲM）やステレオ音声信号（ＳＬ＋ＳＲ）によって左右の拡がり感や正面への飛び出し感が得られるとともに、映像の動きに合わせて、この映像を音源とするように、その移動方向に移動する音源からの音声を聴取できる音場が得られることになる。
【００６８】
さらに、セレクタスイッチ１２で選択された左音声信号Ｌや右音声信号Ｒが３Ｄ音声信号（ＳＬ3D＋ＳＲ3D）の音声信号ＳＬ3D，ＳＲ3Dである場合には、映像表示部４（図１）で表示される２Ｄ画面あるいは３Ｄ画面での映像の動き量が所定値よりも大きい場合、この映像の動きに応じて開閉スイッチ２０Ｌ1〜２０Ｌ4，２０Ｒ1〜２０Ｒ4が順次開閉制御され、これに応じて左側スピーカ１４Ｌ1〜１４Ｌ4と右側スピーカ１４Ｒ1〜１４Ｒ4とでの音声信号の供給タイミングが所定にずらされる。即ち、映像の動きに合わせてこの映像の動き方向に音声を発生するスピーカが切り替わっていく。また、このとき、可変利得増幅器２２Ｌ1〜２２Ｌ4，２２Ｒ1〜２２Ｒ4でも、ＣＰＵ６からの制御信号Ｃ2により、順次利得が制御され、映像の動きに合わせてこの映像の動き方向に音量が変化される。これにより、３Ｄ音声信号（ＳＬ3D＋ＳＲ3D）によって左右の拡がり感や正面への飛び出し感が得られるとともに、映像の動きに合わせて、この映像を音源とするように、その移動方向に移動する音源からの音声を聴取できる音場が得られることになる。
【００６９】
なお、セレクタスイッチ１２で選択された左音声信号Ｌや右音声信号Ｒが擬似ステレオ音声信号（ＳＬM＋ＳＲM）の音声信号ＳＬM，ＳＲMやステレオ音声信号（ＳＬ＋ＳＭ）の音声信号ＳＬ，ＳＲ、３Ｄ音声信号（ＳＬ3D＋ＳＲ3D）の音声信号ＳＬ3D，ＳＲ3Dであって、映像表示部４（図１）で表示される２Ｄ画面あるいは３Ｄ画面での映像の動き量が所定値以下である場合には、動きのある映像は存在しないとして、例えば、開閉スイッチ２０Ｌ2〜２０Ｌ3，２０Ｒ2〜２０Ｒ3のみがオンし、あるいは全ての開閉スイッチ２０Ｌ1〜２０Ｌ4，２０Ｒ1〜２０Ｒ4がオンし、全ての可変利得増幅器２２Ｌ1〜Ｌ4，２２Ｒ1〜２２Ｒ4の利得を予め決められた所定の値に設定する。
【００７０】
図８は、図１，図５において、動きベクトルａとスピーカ１４の動作との関連性の一具体例を示す図であって、２３は動き映像、２４は矢印、２５は表示エリアであり、前出図面に対応する部分には同一符号をつけて重複する説明を省略する。ここでは、左側スピーカ１４Ｌ1〜１４Ｌ4と右側スピーカ１４Ｒ1〜１４Ｒ4とを総称する場合、スピーカ１４ということにする。
【００７１】
図８（ａ）は表示画面４ａでの動き映像２３の動きを示すものであって、ここで、一例として、図示するように、機関車などの映像２３が表示画面４ａ上を左側から右側へ移動しているものとする。ここで、動き映像２３は、予め決められた移動量よりも大きな動きをする映像とする。
【００７２】
図１における動きベクトル検出回路３では、図８（ｂ）に示すように、表示画面４ａに対応する横長の表示エリア２５を想定し、動き映像２３の動きから動きベクトルａを生成してこの表示エリア２５上にこの動きベクトルａをマッピングする。この動きベクトルａは、先に説明したように、現フレームとその１つ前のフレームとを比較することによって検出されるものであるが、このマッピングでは、１つ前のフレームでの動き映像２３の位置から動き量に応じた大きさで、動き方向を向いた矢印で動きベクトルａを表わしている。
【００７３】
また、表示エリア２５は、表示画面４ａに対して、例えば、図６に示すようなスピーカ１４の配置関係に応じて、複数の部分エリアに分割されている。ここでは、図６においては、横長の表示画面４ａの各辺に２個ずつスピーカ１４が配置されていることから、表示エリア２５が縦横両方向に３分割され、９個の分割エリアＡ，Ｂ，Ｃ，……，Ｈ，Ｉが想定されている。かかる分割エリアＡ〜Ｉに対する動きベクトルａの位置関係から、音声を発生するスピーカ１４の切換え順序が設定される。
【００７４】
ここで、動きベクトルａは、図示するように、部分エリアＤ，Ｇの境界から部分エリアＦ，Ｉの境界に達するものであるが、動き映像２３は部分領域Ｄ，Ｇの境界に存在するものであり、この位置は動きベクトルａから検出される。
【００７５】
そこで、図８（ｃ）に示すように、この表示エリア２５に対して各スピーカ１４の位置を想定すると、この表示エリア２５の下辺に沿ってその左側に左側スピーカ１４Ｌ1が、右側に右側スピーカ１４Ｒ1が夫々配置され、その左辺に沿ってその下側に左側スピーカ１４Ｌ2が、上側に左側スピーカ１４Ｌ3が夫々配置され、その右辺に沿ってその下側に右側スピーカ１４Ｒ2が、上側に右側スピーカ１４Ｒ3が夫々配置され、その上辺に沿ってその左側に左側スピーカ１４Ｌ4が、右側に右側スピーカ１４Ｒ4が夫々配置されていることになる。
【００７６】
このようなスピーカ１４の配置により、動き映像２３の位置が表示エリア２５の部分エリアＡ〜Ｉのいずれかにあるかに応じて、動作するスピーカ１４が異なることになる。その例を以下に説明する。
【００７７】
（１）一例として、動き映像２３が部分エリアＡ内にあるときには、表示エリア２５の左辺の左側スピーカ１４Ｌ3と上辺の左側スピーカ１４Ｌ4とが動作し、
部分エリアＢ内にあるときには、表示エリア２５の上辺の左側スピーカ１４Ｌ4と右側スピーカ１４Ｒ4とが動作し、
部分エリアＣ内にあるときには、表示エリア２５の右辺の右側スピーカ１４Ｒ3と上辺の右側スピーカ１４Ｒ4とが動作する。
【００７８】
また、動き映像２３が部分エリアＤ内にあるときには、表示エリア２５の左辺の左側スピーカ１４Ｌ2，１４Ｌ3と上辺の左側スピーカ１４Ｌ4とが動作し、
部分エリアＥ内にあるときには、表示エリア２５の下辺の左側スピーカ１４Ｌ1，１４Ｒ1と上辺の左側スピーカ１４Ｌ4と右側スピーカ１４Ｒ4とが動作し、
部分エリアＦ内にあるときには、表示エリア２５の右辺の右側スピーカ１４Ｒ2，１４Ｒ3と下辺の右側スピーカ１４Ｒ1と上辺の右側スピーカ１４Ｒ4とが動作する。
【００７９】
さらに、動き映像２３が部分エリアＧ内にあるときには、表示エリア２５の左辺の左側スピーカ１４Ｌ2と下辺の左側スピーカ１４Ｌ1とが動作し、
部分エリアＨ内にあるときには、表示エリア２５の下辺の左側スピーカ１４Ｌ1と右側スピーカ１４Ｒ1とが動作し、
部分エリアＩ内にあるときには、表示エリア２５の右辺の右側スピーカ１４Ｒ2と下辺の右側スピーカ１４Ｒ1とが動作する。
【００８０】
（２）他の例として、動き映像２３が部分エリアＡや部分エリアＤの上半分内にあるときには、表示エリア２５の左辺の左側スピーカ１４Ｌ3と上辺の左側スピーカ１４Ｌ4とが動作し、
部分エリアＢや部分エリアＥの上半分内にあるときには、表示エリア２５の上辺の左側スピーカ１４Ｌ4と右側スピーカ１４Ｒ4とが動作し、
部分エリアＣや部分エリアＦの上半分内にあるときには、表示エリア２５の右辺の右側スピーカ１４Ｒ3と上辺の右側スピーカ１４Ｒ4とが動作する。
【００８１】
また、動き映像２３が部分エリアＤの下半部や部分エリアＧ内にあるときには、表示エリア２５の左辺の左側スピーカ１４Ｌ2と下辺の左側スピーカ１４Ｌ1とが動作し、
部分エリアＥの下半分や部分エリアＨ内にあるときには、表示エリア２５の下辺の左側スピーカ１４Ｌ1と右側スピーカ１４Ｒ1とが動作し、
部分エリアＦの下半分や部分エリアＩ内にあるときには、表示エリア２５の右辺の右側スピーカ１４Ｒ2と下辺の右側スピーカ１４Ｒ1とが動作する。
【００８２】
ここで、「スピーカ１４が動作する」とは、スピーカ１４に音声信号が供給されて音声を発生する状態をいうものであって、このときには、図７に示すこのスピーカ１４に該当するスイッチ２０（スイッチ２０Ｌ1〜２０Ｌ4，２０Ｒ1〜２０Ｒ4の総称。以下同様）がオンされるものであり、これとともに、該当する可変利得増幅器２１（可変利得増幅器２２Ｌ1〜２２Ｌ4，２２Ｒ1〜２２Ｒ4の総称。以下同様）の利得が制御される。
【００８３】
動き映像２３の動き量が大きく、動きベクトルａが大きい場合には、動き映像２３の移動とともに、動作するスピーカ１４が順次切り換わっていくが、動き映像２３の動き量が予め決められた所定の値よりも小さく、動き映像２３がないか、あっても、その移動が遅い場合には、上記のように、左スピーカ１４Ｌ2，１４Ｌ3と右側スピーカ１４Ｒ2，１４Ｒ3とが、あるいは全てのスピーカ１４が動作する。
【００８４】
そこで、いま、動き映像２３の動き量が大きく、図８（ｃ）に示すように、大きな移動ベクトルａが検出され、動き映像２３が部分エリアＤ，Ｇの境界上の位置から部分エリアＥ，Ｈの境界上の位置，部分エリアＦ，Ｉの境界上の位置へと移動するものとし、上記の「（１）の例」をもとに説明すると（但し、部分エリアＡ，Ｄの境界線のように、上側の境界線は、部分エリアＡのように、上側の部分領域に属し、また、部分エリアＤ，Ｇの境界線のように、下側の境界線は、部分エリアＧのように、下側の部分エリアに属するものとする）、図７において、動き映像２３が部分エリアＤ，Ｇの境界上を移動するとき、スイッチ２０Ｌ1，２０Ｌ2がオンしており、セレクタスイッチ１２（図１）で選択された左音声信号Ｌが左側スピーカ１４Ｌ1，１４Ｌ2に供給される。このときには、動き映像２３が表示エリア２５上を右方向に移動するとともに、左側スピーカ１４Ｌ1に対する可変利得増幅器２２Ｌ1の利得が上昇するように制御されるとともに、左側スピーカ１４Ｌ2に対する可変利得増幅器２２Ｌ2の利得が下降するように制御される。
【００８５】
この場合、図８（ａ）において、動き映像２４が右方向にのみ移動しているものとすると、左スピーカ１４Ｌ1，１４Ｌ2の合計の出力音量が上昇していくように、可変利得増幅器２２Ｌ1，２２Ｌ2の利得が制御される。
【００８６】
なお、この動き映像２３がさらに手前側（即ち、ユーザに近づく方向）にも移動しているものとすると、左側スピーカ１４Ｌ1に対する可変利得増幅器２２Ｌ1の利得の上昇を急激にし、図８（ｄ）に示すように、左側スピーカ１４Ｌ1，１４Ｌ2の合計の出力音量がさらに大きく上昇するようにする。勿論、この動き映像２３が手前側とは反対方向、即ち、奥行き方向にも移動している場合には、可変利得増幅器２２Ｌ1の利得も次第に減少するようにし、左側スピーカ１４Ｌ1，１４Ｌ2の合計の出力音量が低下していくようにする。
【００８７】
動き映像２３が移動して部分エリアＥ，Ｈの境界線に近づいていくと、左側スピーカ１４Ｌ1，１４Ｌ2の合計の出力音量が増加していくように、可変利得増幅器２２Ｌ1，２２Ｌ2の利得が制御されていく。そして、動き映像２３が部分エリアＥ，Ｈの境界線に達すると（なお、この境界線に達するよりも若干前でもよい）、スイッチ２０Ｌ2がオフして左側スピーカ１４Ｌ2が動作を停止し、これとともに、スイッチ２０Ｒ1がオンして、右側スピーカ１４Ｒ1が動作を開始する。この場合、左側スピーカ１４Ｌ1と動作を開始した右側スピーカ１４Ｒ1との合計出力音量がそのときの左側スピーカ１４Ｌ1，１４Ｌ2の合計の出力音量と等しくなるように、可変利得増幅器２２Ｌ1，２２Ｌ2の利得に対して可変利得増幅器２２Ｒ1の利得が設定されている。
【００８８】
その後、動き映像２３のさらなる部分エリアＥ，Ｈの境界線上での右方向の移動とともに、左側スピーカ１４Ｌ1と右側スピーカ１４Ｒ1との合計出力音量がさらに増加されるように、可変利得増幅器２２Ｌ1の利得が一定に、可変利得増幅器２２Ｒ1の利得が増加するように、夫々の利得が制御される。そして、動き映像２３が部分エリアＥ，Ｈの境界線の中心点に達すると、可変利得増幅器２２Ｌ1の利得と可変利得増幅器２２Ｒ1の利得とが等しくなるようにし、しかる後、可変利得増幅器２２Ｒ1の利得が一定に、可変利得増幅器２２Ｌ1の利得が減少するように夫々の利得が制御され、左側スピーカ１４Ｌ1と右側スピーカ１４Ｒ1との合計出力音量が減少していく。
【００８９】
なお、上記のように、動き映像２３が手前側（即ち、ユーザに近づく方向）にも移動しているものとすると、右側スピーカ１４Ｒ1に対する可変利得増幅器２２Ｒ1の利得の上昇を急激し、図８（ｄ）に示すように、左側スピーカ１４Ｌ1と右側スピーカ１４Ｒ1の合計の出力音量が上昇するようにする。
【００９０】
動き映像２３が移動して次の部分エリアＦ，Ｉの境界線達すると（なお、この境界線に達するよりも若干前でもよい）、スイッチ２０Ｌ1がオフして左側スピーカ１４Ｌ1が動作を停止し、これとともに、スイッチ２０Ｒ2がオンして、右側スピーカ１４Ｒ2が動作を開始する。この場合、右側スピーカ１４Ｒ1と右側スピーカ１４Ｒ2との合計出力音量がそのときの左側スピーカ１４Ｌ1と右側スピーカ１４Ｒ1との合計の出力音量と等しくなるように、可変利得増幅器２２Ｌ1，２２Ｒ1の利得に対して可変利得増幅器２２Ｒ2の利得が設定されている。
【００９１】
そして、動き映像２３の部分エリアＦ，Ｉの境界線上での右方向の移動とともに、右側スピーカ１４Ｒ1，Ｒ2との合計出力音量が次第に下降していくように、可変利得増幅器２２Ｒ1の利得を低下させていきながら可変利得増幅器２２Ｒ2の利得を増加させる。
【００９２】
なお、上記のように、動き映像２３が手前側（即ち、ユーザに近づく方向）にも移動しているものとすると、右側スピーカ１４Ｒ2に対する可変利得増幅器２２Ｒ2の利得の上昇を急激にし、図８（ｄ）に示すように、右側スピーカ１４Ｒ1，１４Ｒ2の合計の出力音量が上昇するようにする。
【００９３】
このように、動き映像２３の移動とともに、左側スピーカ１４Ｌ1，１４Ｌ2から左側スピーカ１４Ｌ1及び右側スピーカ１４Ｒ1、右側スピーカ１４Ｒ1，１４Ｒ2へと動作するスピーカ１４がこの動き映像２３の移動と相まって切り換わっていくことになり、これにより、動き映像２３の移動と相まって音源が移動する音場が得られることになる。
【００９４】
特に、擬似ステレオ音声生成回路８で生成された擬似ステレオ音声信号（ＳＬM＋ＳＲM）が上記のようにスピーカに供給される場合には、これが水平方向の音場の拡がり感や正面方向の飛び出し感が得られるようにしたものであるから、また、３Ｄ音声生成回路１１で生成された３Ｄ音声信号（ＳＬ3D＋ＳＲ3D）が上記のようにスピーカに供給される場合には、これが水平方向の音場の拡がり感や正面方向の飛び出し感，両サイドの飛び出し感が得られるようにしたものであるから、動き映像２３の移動と相まって音源が移動する音場がより効果的に得られることになる。
【００９５】
なお、上記では、動き映像２３の左右方向の移動とともに動作するスピーカ１４の合計出力音量が変化するものとしたが、常に合計出力音量を一定とするようにしてもよい。この場合、同時に動作するスピーカ１４の利得を一定に保持しておくようにしてもよい。
【００９６】
また、図８（ａ）〜（ｃ）では、動き映像２３が部分エリアＤ，Ｇの境界線から部分エリアＥ，Ｈの境界線を経て、部分エリアＦ，Ｉの境界線に至る経路を移動する場合を示し、そのときのスピーカ１４の切換えを説明したが、他の経路を移動する場合も、上記の「（１）の例」や「（２）の例」をもとにして、同様のスピーカ１４の切換えが行なわれるものである。
【００９７】
例えば、動き映像２３が部分エリアＡから部分エリアＢを経て部分エリアＣに至る経路を移動する場合には、動作するスピーカ１４としては、左側スピーカ１４Ｌ3，１４Ｌ4から左側スピーカＬ4／右側スピーカＲ4、右側スピーカ１４Ｒ3，１４Ｒ4へと切り換えられるし、また、動き映像２３が部分エリアＡから部分エリアＥを経て部分エリアＩに至る奥側から手前側への経路を移動する場合には、動作するスピーカ１４としては、左側スピーカ１４Ｌ3，１４Ｌ4から左側スピーカ１４Ｌ1，Ｌ4／右側スピーカ１４Ｒ1，１４Ｒ4、右側スピーカ１４Ｒ3，１４Ｒ4へと切り換えられる。この場合には、この動き映像２３の移動とともに、動作するスピーカ１４からの合計の出力音量が次第に増加していくことになる。
【００９８】
図９は図６に示す映像表示装置とは異なる種類の映像表示装置でのスピーカ１４の配置の具体例を示す正面図であって、４LDは左下辺、４RDは右下辺、４LUは左上辺、４RUは右上辺であり、前出図面に対応する部分には同一符号をつけて重複する説明を省略する。
【００９９】
図９（ａ）は映像表示部４の表示画面４ａが縦長の映像表示装置であって、かかる表示画面４ａの下辺に沿って左側スピーカ１４Ｌ1と右側スピーカ１４Ｒ1とが左右に配置され、左辺に沿って左側スピーカ１４Ｌ3，１４Ｌ2が上下に配置され、右辺に沿って右側スピーカ１４Ｒ3，１４Ｒ2が上下に配置され、上辺に沿って左側スピーカ１４Ｌ4と右側スピーカ１４Ｒ4とが左右に配置されている。これら左側スピーカ１４Ｌ1〜１４Ｌ4は図６での左側スピーカ１４Ｌ1〜１４Ｌ4と同じ左スピーカとしての機能をなすものであり、これら右側スピーカ１４Ｒ1〜１４Ｒ4は図６での右スピーカ１４Ｒ1〜１４Ｒ4と同じ右スピーカとしての機能をなすものである。
【０１００】
図１，図５及び図７に示す構成や図８に示す機能，動作は、この具体例においても、同様である。
【０１０１】
このように、この第１の実施形態では、スピーカ１４の個数が多くても、映像表示部４の表示画面４ａが縦長の映像表示装置においても、スピーカ１４を図６に示す映像表示部４の表示画面４ａが横長の映像表示装置と同様に配置することができ、また、同様の効果が得られるものである。従って、各スピーカ１４の位置付けは一意的に決まるものであって、その機能（動作やイコライザ，可変利得増幅器の特性など）はこの設置位置によって一意的に決まるものであり、表示画面４ａが横長の映像表示装置や表示画面４ａが縦長の映像表示装置の設計工程や生産工程において、夫々の映像表示装置毎にスピーカの配置や機能を配慮するといった手間が掛かることがない。
【０１０２】
図９（ｂ）は宣伝用コンテンツなど表示するデジタルサーネージ（Digital Signage：電子看板）に用いられる映像表示装置であって、映像表示部４の表示画面４ａが菱形をなすものである。この菱形の表示画面４ａは、左下辺４LDと右下辺４RDと左上辺４LUと右上辺４RUとを有しているが、図６に示す横長の表示画面４ａや図９（ａ）に示す縦長の表示画面４ａを傾けて配置したものと同様の形状をなすものである。
【０１０３】
ここで、左下辺４LDには、その下側に左側スピーカ１４Ｌ1が、その上側に左側スピーカ１４Ｌ2が夫々配置され、左上辺４LUには、その下側に左側スピーカ１４Ｌ3が、その上側に左側スピーカ１４Ｌ4が夫々配置され、右下辺４RDには、その下側に右側スピーカ１４Ｒ1が、その上側に右側スピーカ１４Ｒ2が夫々配置され、右上辺４RUには、その下側に右側スピーカ１４Ｒ3が、その上側に右側スピーカ１４Ｒ4が夫々配置されている。
【０１０４】
これら左側スピーカ１４Ｌ1〜１４Ｌ4は、図６での左側スピーカ１４Ｌ1〜１４Ｌ4と同じ左スピーカとしての機能を有するものであり、これら右側スピーカ１４Ｒ1〜１４Ｒ4は、図６での右側スピーカ１４Ｒ1〜１４Ｒ4と同じ右スピーカとしての機能を有するものである。また、図１，図５及び図７に示す構成や図８に示す機能，動作は、この具体例においても、同様である。
【０１０５】
このように、この第１の実施形態では、スピーカ１４の個数が多くても、映像表示部４の表示画面４ａが菱形の映像表示装置においても、スピーカ１４を図６に示す映像表示部４の表示画面４ａが横長の映像表示装置と対応させて配置することができ、また、同様の効果が得られるものである。従って、各スピーカ１４の位置付けは一意的に決まるものであって、その機能（動作やイコライザ，可変利得増幅器の特性など）はこの設置位置によって一意的に決まるものであり、表示画面４ａが横長の映像表示装置や縦長の映像表示装置や菱形の映像表示装置の設計工程や生産工程において、夫々の映像表示装置毎にスピーカの配置や機能を配慮するといった手間を軽減できるものである。
【０１０６】
なお、以上説明した第１の実施形態では、横長や縦長，菱形の四角形状をなす表示画面４の各辺毎に２個ずつスピーカ１４を設けたものであるが、これに限らず、各辺に３個以上のスピーカ１４を設けるようにしてもよいし、いずれの辺も複数個ずつスピーカ１４が配置されるものであるが、左右の辺と上下の辺とで配置されるスピーカ１４の個数を異ならせてもよい。
【０１０７】
また、表示画面４ａの上辺では、スピーカを設けないようにしてもよい。従って、図６に示す表示画面４ａが横長の映像表示装置では、上辺で左側スピーカ１４Ｌ4と右側スピーカ１４Ｒ4とが設けられないし、図９（ａ）に示す表示画面４ａが縦長の映像表示装置では、上辺で左側スピーカ１４Ｌ4と右側スピーカ１４Ｒ4とが設けられない。図９（ｂ）に示す表示画面４ａが菱形の映像表示装置では、左側スピーカ１４Ｌ4と右側スピーカ１４Ｒ4とが設けられない。従って、図７に示す回路構成も、これに応じたものとなる。
【０１０８】
ところで、この実施形態では、リモコン操作によって表示画面４ａにメニュー画面をオンスクリーン表示し、図７における可変利得増幅器２２Ｌ1〜２２Ｌ4，２２Ｒ1〜２２Ｒ4の設定利得の調整（スピーカ１４Ｌ1〜１４Ｌ4，１４Ｒ1〜１４Ｒ4のボリウム調整）や、イコライザ２１Ｌ1〜２１Ｌ4，２１Ｒ1〜２１Ｒ4の特性の調整を行なうことができるし、また、スピーカ１４Ｌ1〜１４Ｌ4，１４Ｒ1〜１４Ｒ4の機能の設定を行なうことができる。なお、このように、表示画面４ａにメニューをオンスクリーン表示して各種の調節，設定を行なう場合には、例えば、図１において、ＣＰＵ６の制御のもとに、音声切換回路７は動作が停止し、これによってセクタスイッチ１２が動作を停止して音声再生装置５は動作を停止する。以下、スピーカのボリウム調整やイコライザの特性調整，スピーカの機能設定のためのメニューのオンスクリーン表示について説明する。
【０１０９】
図１０はスピーカ１４Ｌ1〜１４Ｌ4，１４Ｒ1〜１４Ｒ4のボリウム調整（出力レベル設定）のためにオンスクリーン表示されるメニュー画面の一具体例を示す図であって、２６はスピーカ出力レベル（利得）設定メニュー、２７はレベル（利得）設定部、２８はレベル軸、２９はスライダであり、前出図面に対応する部分には同一符号をつけて重複する説明を省略する。
【０１１０】
同図において、リモコンでスピーカ出力レベル設定メニューの表示操作がなされると、表示画面４ａにスピーカ出力レベル設定メニュー２６が表示される。このスピーカ出力レベル設定メニュー２６では、各スピーカ１４Ｌ1〜１４Ｌ4，１４Ｒ1〜１４Ｒ4毎に、夫々のスピーカ１４に対向する位置に、該当するレベル設定部２７が表示される。
【０１１１】
ここで、左側スピーカ１４Ｌ1のレベル設定部２７について説明すると、このレベル設定部２７は、横方向に伸延したレベル（利得）軸２８とスライダ２９とからなり、リモコン操作によって図示しないカーソルをこのスライダ２９上に移動させ、クリックした状態でカーソルを水平方向に移動させることにより、スライダ２９をレベル軸２８に沿って移動させることができる。レベル軸２８上でのスライダ２９の位置のレベルが左側スピーカ１４Ｌ1の設定出力レベル（設定利得）となり、この設定出力レベルがこの左側スピーカ１４Ｌ1が出力し得る最大の音声出力レベル（最大利得）となる。図７におけるＣＰＵ６からの制御信号ｃ2は、このようにして設定された利得を最大利得して、利得を変化させるものである。
【０１１２】
他のスピーカ、即ち、スピーカ１４Ｌ2〜１４Ｌ4，１４Ｒ1〜１４Ｒ4に対するレベル設定部２７についても同様であって、そのレベル設定部２７でのスライダ２９の位置を調整することにより、それに該当するスピーカ１４の設定利得を調整することができる。
【０１１３】
図１１はスピーカ１４Ｌ1〜１４Ｌ4，１４Ｒ1〜１４Ｒ4に対するイコライザ２１Ｌ1〜２１Ｌ4，２４Ｒ1〜２１Ｒ4の特性調整のためにオンスクリーン表示されるメニュー画面の一具体例を示す図であって、３０はイコライザ特性設定メニュー、３１は特性設定部であり、前出図面に対応する部分には同一符号をつけて重複する説明を省略する。
【０１１４】
同図において、リモコンでイコライザ特性設定メニューの表示操作がなされると、表示画面４ａにイコライザ特性設定メニュー３０が表示される。このイコライザ特性設定メニュー３０では、各スピーカ１４Ｌ1〜１４Ｌ4，１４Ｒ1〜１４Ｒ4毎に、夫々のスピーカ１４に対向する位置に、該当する特性設定部３１が表示される。
【０１１５】
ここで、左側スピーカ１４Ｌ1の特性設定部３１について説明すると、この特性設定部３１は、この左側スピーカ１４Ｌ1に供給される音声信号の帯域を複数の部分帯域に分割し、夫々の部分帯域毎にそのレベルが表示されている。これら部分帯域のレベルにより、この左側スピーカ１４Ｌ1に対するイコライザ２１Ｌ1の特性が決まることになる。リモコン操作によって図示しないカーソルを特性設定部３１でのある帯域に一致させ、クリックした状態でカーソルを上下方向に移動させることにより、この帯域でのレベルを変化させることができ、このようにして、所定の帯域でのレベルを変化させることにより、このイコライザ２１Ｌ1の特性を調整することができる。
【０１１６】
他のスピーカ、即ち、スピーカ１４Ｌ2〜１４Ｌ4，１４Ｒ1〜１４Ｒ4に対する特性設定部３１についても同様であって、その特性設定部３１で所定の帯域のレベルを調整することにより、それに該当するイコライザの特性を所望に調整することができる。
【０１１７】
図１２はスピーカ１４のスピーカ機能設定のためにオンスクリーン表示されるメニュー画面の一具体例を示す図であって、３２はスピーカ機能設定メニュー、３３はスピーカ機能設定部、３４Lは左スピーカ機能設定ボタン、３４Rは右スピーカ機能設定ボタン、３４Cはセンタスピーカ機能設定ボタンであり、前出図面に対応する部分には同一符号をつけて重複する説明を省略する。
【０１１８】
なお、この「スピーカ機能」とは、上記の左スピーカや右スピーカ，センタスピーカとして動作することをいうものであり、センタスピーカとは、図４では省略しているが、センタ音声信号が入力されるとき、このセンタ音声信号が供給されるスピーカである。
【０１１９】
同図において、リモコンでスピーカ機能設定メニューの表示操作がなされると、表示画面４ａにスピーカ機能設定メニュー３２が表示される。このスピーカ機能設定メニュー３２では、各スピーカ１４Ｌ1〜１４Ｌ4，１４Ｒ1〜１４Ｒ4毎に、夫々のスピーカ１４に対向する位置に、該当する機能設定部３３が表示される。
【０１２０】
ここで、左側スピーカ１４Ｌ1の機能設定部３３について説明すると、この機能設定部３３には、左側スピーカ１４Ｌ1を左スピーカとして機能するように機能設定するための左スピーカ機能設定ボタン３４Lと、左側スピーカ１４Ｌ1を右スピーカとして機能するように機能設定するための右スピーカ機能設定ボタン３４Rと、スピーカ１４Ｌ1をセンタスピーカとして機能するように機能設定するためのセンタスピーカ機能設定ボタン３４Cとが設けられており、常にこれら設定ボタンのいずれか１つが指定された状態にあり、スピーカ１４Ｌ1がこの指定された機能に設定されている状態にあるが、リモコンによる図示しないカーソルの操作により、いずれかの設定ボタンを選択することができる。図示する状態では、左側スピーカ１４Ｌ1の機能設定部３３で左スピーカ機能設定ボタン３４Lが選択された状態にあるので、この左側スピーカ１４Ｌ1は左スピーカとして機能することになる。
【０１２１】
他のスピーカ１４について見ると、左側スピーカ１４Ｌ2〜１４Ｌ4は左スピーカとして機能するように設定されており、右側スピーカ１４Ｒ1〜１４Ｒ4は右スピーカとして機能するように設定されていることになる。このように機能が設定されていると、夫々のスピーカ１４は、図４に示すように、開閉スイッチ２０Ｌ1〜２０Ｌ4，２０Ｒ1〜２０Ｒ4と接続されており、図５で説明したように動作する。
【０１２２】
スピーカ機能設定メニュー３２で夫々のスピーカ１４の機能が指定されると、その指定に応じて、図４に示すように、各スピーカ１４Ｌ1〜１４Ｌ4，１４Ｒ1〜１４Ｒ4と開閉スイッチ２０Ｌ1〜Ｌ4，２０Ｒ1〜２０Ｒ4との接続関係が設定されることになる。極端な例ではあるが、例えば、図１２において、左側スピーカ１４Ｌ2に対して右側スピーカ機能設定ボタン３４Rが指定され、右側スピーカ１４Ｒ2に対して左スピーカ機能設定ボタン３４Lが指定されたとすると、図４において、左側スピーカ１４Ｌ2は開閉スイッチ２０Ｒ2に接続されて右側スピーカとして機能し、右側スピーカ１４Ｒ2は開閉スイッチ２０Ｌ2に接続されて左スピーカとして機能することになる。
【０１２３】
また、センタ音声信号が入力される場合、センタスピーカとして機能させたいスピーカ１４の機能設定部３３でセンタスピーカ機能設定ボタン３４Cを指定することにより、このスピーカ１４をセンタスピーカとして機能させることができる。図１，図７では、センタ音声信号に対する回路構成を示していないが、入力音声信号Ａにセンタ音声信号が含まれているときには、このセンタ音声信号はセレクタスイッチ１２を介して、もしくは直接分配処理回路１３に供給され、センタスピーカに供給される。例えば、左側スピーカ１４Ｌ1と右側スピーカ１４Ｒ1との機能設定部３３でセンタスピーカ機能設定ボタン３４Cを指定することにより、これら左側スピーカ１４Ｌ1と右側スピーカ１４Ｒ1とがセンタスピーカとして動作させることができる。
【０１２４】
このように、スピーカ機能設定メニュー３２を表示画面４ａに表示させることにより、各スピーカ１４の機能を確認することができて、誤った機能が設定されているスピーカ１４に対しては、その機能を簡単な画面操作でもって修正することができるし、また、夫々のスピーカ１４の機能をユーザの好みに合わせて設定することもできる。
【符号の説明】
【０１２５】
１  映像信号処理ブロック
２  映像処理部
３  動きベクトル検出回路
４  映像表示部
４ａ  表示画面
５  音声再生装置
６  ＣＰＵ
７  音声切換回路
８  モノラル音声回路
９  ステレオ音声回路
１０  擬似ステレエ音声生成回路
１１  ３Ｄ音声生成回路
１２  セレクタスイッチ
１２ａ，１２ｂ  切換スイッチ
１３  分配処理回路
１４Ｌ1〜１４Ｌ4  左スピーカ
１４Ｒ1〜１４Ｒ4  右側スピーカ
２０Ｌ1〜２０Ｌ4，２０Ｒ1〜２０Ｒ4  開閉スイッチ
２１Ｌ1〜２０Ｌ4，２１Ｒ1〜２１Ｒ4  イコライザ
２２Ｌ1〜２２Ｌ4，２２Ｒ1〜２２Ｒ4  可変利得増幅器
２３  動き映像
２５  表示エリア
２６  スピーカ出力レベル（利得）設定メニュー
２７  レベル（利得）設定部
２８  レベル軸
２９  スライダ
３０  イコライザ特性設定メニュー
３１  特性設定部
３２  スピーカ機能設定メニュー
３３  スピーカ機能設定部
３４L  左スピーカ機能設定ボタン
３４R  右スピーカ機能設定ボタン
３４C  センタスピーカ機能設定ボタン
【図１】
2011259298.tif 000003
【図２】
2011259298.tif 000004
【図３】
2011259298.tif 000005
【図４】
2011259298.tif 000006
【図５】
2011259298.tif 000007
【図６】
2011259298.tif 000008
【図７】
2011259298.tif 000009
【図８】
2011259298.tif 000010
【図９】
2011259298.tif 000011
【図１０】
2011259298.tif 000012
【図１１】
2011259298.tif 000013
【図１２】
2011259298.tif 000014